(57)【特許請求の範囲】
【請求項１】
浴槽湯水に微細気泡を発生させて浴槽湯水を白濁させる白濁化装置と、浴槽への人の入浴による浴槽湯水の水位変動を検出する水位検出手段と、該水位検出手段により検出される水位変動に基づいて前記浴槽に入浴した人が大人であるか子供であるかを判断する判断手段とを有し、該判断手段によって前記浴槽に入浴した人が大人であると判断されたときには前記白濁化装置により白濁させる浴槽湯水の白濁度を高くし、前記判断手段によって前記浴槽に入浴した人が子供であると判断されたときには前記白濁化装置により白濁させる浴槽湯水の白濁度を低くするように前記白濁化装置により発生させる微細気泡濃度を制御する白濁度可変制御手段とを有することを特徴とする風呂装置。
【請求項２】
浴槽湯水に微細気泡を発生させて浴槽湯水を白濁させる白濁化装置と、該白濁化装置により白濁させる浴槽湯水の白濁度を選択操作するための白濁度選択操作部と、前記浴槽湯水の白濁度が前記白濁度選択操作部により選択された白濁度となるように前記白濁化装置により発生させる微細気泡濃度を制御する白濁度可変制御手段と、前記浴槽湯水の追い焚きを行う追い焚き手段とを有し、前記白濁化装置により浴槽湯水を白濁化させるときにはその白濁度に応じて浴槽湯水の追い焚き設定温度を変化させる構成を備え、前記白濁化装置による浴槽湯水の白濁度が高いほど浴槽湯水の追い焚き設定温度を高くして前記追い焚き手段による浴槽湯水の追い焚きを行うことを特徴とする風呂装置。
【請求項３】
浴槽湯水の追い焚きを行う追い焚き手段を有し、白濁化装置により浴槽湯水を白濁化させるときにはその白濁度に応じて浴槽湯水の追い焚き設定温度を変化させる構成を備え、前記白濁化装置による浴槽湯水の白濁度が高いほど浴槽湯水の追い焚き設定温度を高くして前記追い焚き手段による浴槽湯水の追い焚きを行うことを特徴とする請求項１記載の風呂装置。
【発明の詳細な説明】
【技術分野】
【０００１】
本発明は、浴槽に微細気泡（白濁式）を発生させる微細気泡発生機能を備えた風呂装置に関するものである。
【背景技術】
【０００２】
例えば浴槽内に気泡を発生させる気泡発生装置を設け、浴槽湯水内に気泡を吐出することが行われている（例えば、特許文献１、参照。）。中でも、気泡発生装置から非常に微細な気泡を吐出することにより、浴槽湯水内に白濁式の（多量の微細泡により白濁して見える）微細気泡を発生させる装置の需要が伸びてきている。微細気泡（白濁式）を浴槽内に発生させると、入浴した人の保温性を高めたり、汚れを落としやすくできたりするといった効果があるといわれており、利用者は、快適な入浴タイムを送ることができる。なお、浴槽湯水内を白濁させる方法としては、前記のような微細気泡の発生の他に、浴槽湯水に入浴剤を溶かす方法も従来から用いられている（例えば、特許文献２、参照。）。
【先行技術文献】
【特許文献】
【０００３】
【特許文献１】特開２００７−１３５９９５号公報
【特許文献２】特開平１１−１４２４号公報
【発明の概要】
【発明が解決しようとする課題】
【０００４】
しかしながら、前記のように白濁させた浴槽内に入浴すると、リッチな気分を味わえる反面、その白濁度が高いと浴槽の底が見えなくなるため、子供が入浴する場合には危険であるといった問題があった。また、最近では、図４に示すように、半身浴等のために段差を設けた浴槽２６が広く用いられるようになっているが、このような段差の配置位置や高さは、その浴槽２６によって様々であるので、大人であっても、例えば他の家庭で段差のある浴槽２６に入浴する機会があった場合に、その浴槽２６の段差が白濁によって見えなくなると危険である。
【０００５】
なお、図４（ａ）は、浴槽２６の一例を、平面図により示しており、図４（ｂ）は、そのＡ−Ａ断面図を示している。図４（ａ）の斜線部分は、図４（ｂ）の断面図に示すように浅く形成され、この部分に座ることにより半身浴を可能としている。また、図４（ｃ）に示す浴槽２６は、深さが浅い部分（図の斜線で示す）を図４（ａ）とは異なる態様に形成した例を示す。
【０００６】
本発明は、上記課題を解決するためになされたものであり、その目的は、浴槽内の湯を白濁化させることにより快適な入浴タイムを実現でき、かつ、安全な風呂装置を提供することにある。
【課題を解決するための手段】
【０００７】
本発明は上記目的を達成するために、次の構成をもって課題を解決する手段としている。すなわち、第１の発明は、浴槽湯水に微細気泡を発生させて浴槽湯水を白濁させる白濁化装置と、浴槽への人の入浴による浴槽湯水の水位変動を検出する水位検出手段と、該水位検出手段により検出される水位変動に基づいて前記浴槽に入浴した人が大人であるか子供であるかを判断する判断手段とを有し、該判断手段によって前記浴槽に入浴した人が大人であると判断されたときには前記白濁化装置により白濁させる浴槽湯水の白濁度を高くし、前記判断手段によって前記浴槽に入浴した人が子供であると判断されたときには前記白濁化装置により白濁させる浴槽湯水の白濁度を低くするように前記白濁化装置により発生させる微細気泡濃度を制御する白濁度可変制御手段とを有する構成をもって課題を解決する手段としている。
【０００８】
また、第２の発明は、浴槽湯水に微細気泡を発生させて浴槽湯水を白濁させる白濁化装置と、該白濁化装置により白濁させる浴槽湯水の白濁度を選択操作するための白濁度選択操作部と、前記浴槽湯水の白濁度が前記白濁度選択操作部により選択された白濁度となるように前記白濁化装置により発生させる微細気泡濃度を制御する白濁度可変制御手段と、前記浴槽湯水の追い焚きを行う追い焚き手段とを有し、前記白濁化装置により浴槽湯水を白濁化させるときにはその白濁度に応じて浴槽湯水の追い焚き設定温度を変化させる構成を備え、前記白濁化装置による浴槽湯水の白濁度が高いほど浴槽湯水の追い焚き設定温度を高くして前記追い焚き手段による浴槽湯水の追い焚きを行う構成をもって課題を解決する手段としている。
【０００９】
さらに、第３の発明は、前記第１の発明の構成に加え、前記浴槽湯水の追い焚きを行う追い焚き手段を有し、白濁化装置により浴槽湯水を白濁化させるときにはその白濁度に応じて浴槽湯水の追い焚き設定温度を変化させる構成を備え、前記白濁化装置による浴槽湯水の白濁度が高いほど浴槽湯水の追い焚き設定温度を高くして前記追い焚き手段による浴槽湯水の追い焚きを行うことを特徴とする。
【発明の効果】
【００１０】
本発明は、浴槽湯水に微細気泡を発生させて浴槽湯水を白濁させる白濁化装置を有しており、本発明において、白濁度選択操作部を有する構成によれば、浴槽湯水の白濁度が白濁度選択操作部により選択されると、白濁度可変装置が、その選択された白濁度となるように白濁化装置により発生させる微細気泡濃度を制御する。そのため、入浴する人が、白濁度選択操作部によって白濁度を操作すれば、例えば、常に利用している浴槽に大人が入る場合には、白濁度を高くしてリッチな気分で入浴し、来客等のように、不慣れな浴槽に人が入る場合や子供の場合には、白濁度を低くして浴槽の底面が見える程度にすることによって危険を回避する等、白濁度を適宜調節して快適な入浴を実現できる。
【００１１】
また、本発明において、浴槽湯水の水位変動を検出する水位検出手段と、該水位検出手段により検出される水位変動に基づいて前記浴槽に入浴した人が大人であるか子供であるかを判断する判断手段とを有する構成によれば、白濁度可変制御手段が、前記判断手段による判断結果に基づき、浴槽に入浴した人が大人であると判断されたときには白濁度を高くし、浴槽に入浴した人が子供であると判断されたときには白濁度を低くする。したがって、浴槽に大人が入る場合には、白濁度を高くしてリッチな気分で入浴し、子供の場合には、白濁度を低くして浴槽の底面が見える程度にすることによって危険を回避する等、浴槽湯水の水位変動に基づいて白濁度を適宜調節し、快適な入浴を実現できる。なお、水位検出手段は、風呂装置に一般に設けられているものであり、その検出結果を利用することにより、白濁殿調節を行うので、その分だけ装置構成を簡略化することができる。
【００１２】
さらに、本発明において、白濁化装置により浴槽湯水を白濁化させるときにはその白濁度に応じて浴槽湯水の追い焚き設定温度を変化させる構成を備え、白濁化装置による浴槽湯水の白濁度が高いほど浴槽湯水の追い焚き設定温度を高くして、浴槽湯水の追い焚き手段により浴槽湯水の追い焚きを行う構成によれば、以下の効果を奏することができる。
【００１３】
つまり、浴槽湯水を白濁化すると、微細気泡を浴槽湯水に発生させることにより浴槽湯温が低くなる場合があったり、あるいは、低くはならなくても体感温度が下がる場合があったりするが、追い焚きによって浴槽湯温を追い焚きの設定温度にできるし、その追い焚きの設定温度を浴槽湯水の白濁度が高いほど高くすることにより、浴槽湯温を、例えば子供の場合はそれほど高くせず、大人の場合には高めにすることができ、入浴する人にあわせて快適な温度にすることができる。したがって、浴槽湯水の白濁化と合わせて、より一層快適な入浴タイムを実現できる。
【図面の簡単な説明】
【００１４】
【図１】本発明に係る風呂装置の第１実施例の制御構成を示すブロック図である。
【図２】実施例の風呂装置のシステム構成例を示す模式図である。
【図３】本発明に係る風呂装置の第２実施例の制御構成を示すブロック図である。
【図４】段差を有する浴槽の構成を説明するための模式的な説明図である。
【発明を実施するための形態】
【００１５】
以下、本発明の実施の形態を図面に基づき説明する。なお、本実施例の説明において、従来例と同一名称部分には同一符号を付してある。
【実施例１】
【００１６】
図１には、本発明に係る風呂装置の第１実施例の制御構成がブロック図により示されており、図２には、システム構成が模式的に示されている。同図に示すように、この風呂装置は、器具ケース２７内に、追い焚きバーナ１６と、２つの燃焼面を持つ給湯バーナ１０とを設けた風呂給湯装置であり、給湯バーナ１０の上側には給湯熱交換器７が、追い焚きバーナ１６の上側には追い焚き熱交換器１５がそれぞれ設けられている。給湯熱交換器７の入側には給水通路５が設けられ、該給水通路５には、入水温度センサ６と流量センサ４とが介設されている。給湯熱交換器７の出側には給湯温度センサ８が設けられており、給湯通路１１が接続されている。給湯通路１１には、水量制御弁４９が介設されている。
【００１７】
前記追い焚き熱交換器１５の入側には、管路１９と追い焚き循環ポンプ２１とを介して戻り管２３が接続され、追い焚き熱交換器１５の出側に往管２４が接続されている。往管２４と戻り管２３とは浴槽２６に接続されており、これら往管２４、戻り管２３、追い焚き熱交換器１５、管路１９を有して追い焚き循環通路２５が形成されている。該追い焚き循環通路２５は、注湯通路１４を介して前記給湯通路１１に接続されており、注湯通路１４には、水位センサ２０と注湯電磁弁２３と流量センサ１２とが介設されている。なお、図２において、符号２２は流水スイッチ、符号９は給湯バーナ１０へのガス通路、符号５２はガス電磁弁、符号１７は追い焚きバーナ１６へのガス通路を、それぞれ示している。
【００１８】
風呂装置内には制御装置３が設けられ、該制御装置３には、リモコン装置１，２（風呂リモコン装置１と台所リモコン装置２）が信号接続されている。この風呂装置において、リモコン装置１，２の運転スイッチをオンした状態で給湯管路１１から給湯先に設けられている給湯栓（図示せず）を開くことにより、給湯機能の動作が開始される。この動作は、制御装置３内の燃焼制御部（図示せず）の制御によって、入水温度センサ６による入水温と、流量センサ４による給湯量に基づき、給湯温度センサ８により検出される給湯温（出湯温）が給湯設定温度となるように、給湯バーナ１０を燃焼して行われる。
【００１９】
また、風呂装置は、湯張り機能の動作、追い焚き機能の動作、保温機能の動作を連続的に行う自動運転の機能と、追い焚き単独運転の機能を有している。自動運転の機能は、リモコン装置１，２の少なくとも一方に設けられている自動スイッチをオンすることにより開始するものであり、注湯電磁弁１３が開かれ、前記給湯機能の動作と同様に給湯熱交換器７を通って加熱された湯が、給湯管路１１から注湯路１４に入り、戻り管２３と往管２４を有して構成される追い焚き循環路２５を通して浴槽２６へ落とし込まれる。
【００２０】
湯張りが完了したときに注湯電磁弁１３が閉じられ、風呂温度センサ１８によって検出される検出温度が湯張り設定温度（風呂設定温度）よりも低いときには追い焚き機能の動作が行われる。この追い焚き機能の動作は、循環ポンプ２１が駆動されて浴槽２６の湯水が追い焚き循環路２５を通して循環されて行われるものであり、風呂温度センサ１８により検出される検出温度が風呂設定温度になるように、追い焚きバーナ１０を燃焼させて追い焚き熱交換器１５を加熱して行われる。自動運転の動作においては、引き続き、予め設定された設定時間だけ、浴槽湯水の温度が風呂の設定温度よりも許容範囲を越えて低くならないように、保温機能の動作が行なわれる。また、追い焚き単独運転の機能は、通常、リモコン装置１に設けられている追い焚きスイッチが押されたときに、前記追い焚き機能の動作を行うものである。
【００２１】
図１には、本実施例において、浴槽２６内を白濁化するための特徴的な制御構成が模式的なブロック図により示されている。同図に示すように、風呂リモコン装置１には、高濃度泡スイッチ３０と低濃度泡スイッチ３１とが設けられ、制御装置３には、白濁度可変制御手段３２、追い焚き制御手段３６が設けられている。
【００２２】
また、本実施例において、追い焚き循環路２５には、浴槽湯水に微細気泡を発生させて浴槽湯水を白濁させる白濁化装置３３が介設されており、白濁度可変制御手段３２に接続されている。なお、白濁化装置３３の詳細な構成や配設場所等は特に限定されるものではないが、本実施例においては、白濁化装置３３の微細気泡吐出口は、例えば追い焚き循環路２５の浴槽２６への接続部である循環金具位置（図２および図４のＢで示す部分を参照）に形成されている。
【００２３】
高濃度泡スイッチ３０と低濃度泡スイッチ３１は、白濁化装置３３により白濁させる浴槽湯水の白濁度を選択操作するための白濁度選択操作部として機能するものであり、高い白濁度にしたい場合には、高濃度泡スイッチ３０を操作し、低い白濁度にしたい場合には、低濃度泡スイッチ３１を操作することにより、好みの白濁度を実現できるようにするものである。なお、例えば、スイッチを一度押すと白濁化装置３３による微細気泡吐出動作をオンし、もう一度押すと白濁化装置３３による微細気泡吐出動作をオフするといったように、スイッチのオンオフに応じて微細気泡吐出動作のオンオフ操作が行えるようになっている。また、スイッチがオンされてから予め定められた設定時間が経過したときには自動的にスイッチがオフされるようになっており、さらに、高濃度泡スイッチ３０と低濃度泡スイッチ３１のうち、一方のスイッチがオンの状態で他方のスイッチをオンすると、一方のスイッチが自動的にオフされるようにもなっている。なお、１つのスイッチを設け、このスイッチを押す毎に、高濃度泡スイッチオン、低濃度泡スイッチオン、スイッチオフを繰り返すようにしてもよい。
【００２４】
白濁度可変制御手段３２は、浴槽湯水の白濁度が白濁度選択操作部（高濃度泡スイッチ３０と低濃度泡スイッチ３１）により選択された白濁度となるように、白濁化装置３３により発生させる微細気泡濃度を制御する。つまり、白濁度可変制御手段３２は、高濃度泡スイッチ３０がオンされたときには、白濁化装置３３により発生させる微細気泡濃度が高くなるように微細気泡濃度を制御し、低濃度泡スイッチ３１がオンされたときには、白濁化装置３３により発生させる微細気泡濃度が低くなるように微細気泡濃度を制御する。なお、白濁化装置３３により微細気泡を発生させる時間は、例えば高濃度泡スイッチ３０と低濃度泡スイッチ３１のいずれかがオンされてからオフされる（自動的にオフされることも含む）までの間である。
【００２５】
白濁度可変制御手段３２は、白濁化装置３３から吸引されて浴槽湯水内に溶け込ませる空気量をコントロールする。空気取込口にある電磁弁のオン−オフ時間をコントロールしたり、取り込まれた空気と浴槽湯水をミキシングするポンプの回転数をコントロールしたり、白濁化装置３３のオン−オフ時間をコントロールする等、適宜任意の方法で、白濁度を可変する。
【００２６】
また、白濁度可変制御手段３２は、浴槽湯水の白濁度の可変制御情報を追い焚き制御手段３６に加える。追い焚き制御手段３６は、白濁化装置３３により浴槽湯水を白濁化させるときには、その白濁度に応じて浴槽湯水の追い焚き設定温度を変化させる構成を備えている。つまり、本実施例において、白濁化時の追い焚きの設定温度は、前記湯張りの設定温度（風呂設定温度）と異なる温度に設定されており、湯張りの設定温度をＴｓとすると、Ｔｓ＋αＴに設定されている。このαＴは、例えば白濁時の白濁度が高い時には２℃、低いときには０．５℃に設定されている。
【００２７】
この白濁時の追い焚き設定温度に対応させて、追い焚き制御手段３６は、白濁化装置３３による浴槽湯水の白濁度が高いほど浴槽湯水の追い焚き設定温度を高くして追い焚き手段による浴槽湯水の追い焚きを行う。なお、この追い焚き制御は、通常の追い焚き制御動作と同様に、循環ポンプ２１を駆動させて追い焚き循環路２５内に浴槽湯水を循環させながら、追い焚きバーナ１６の燃焼制御を行うことによって行われる。
【００２８】
本実施例は以上のように構成されており、利用者の好みに合わせて浴槽湯水の白濁度を可変することができ、また、このときに浴槽湯温を白濁度に対応させて可変することにより、快適な入浴タイムを実現することができる。
【実施例２】
【００２９】
図３には、本発明に係る風呂装置の第２実施例の制御構成がブロック図により示されている。なお、第２実施例は、第１実施例と同様に、図２に示すシステム構成を有しており、第２実施例の説明において、第１実施例と同一名称部分には同一符号を付し、その重複説明は省略または簡略化する。
【００３０】
図３に示すように、第２実施例において、風呂リモコン装置１には、泡スイッチ３４が設けられ、制御装置３には、判断手段３５、白濁度可変制御手段３２、追い焚き制御手段３６が設けられている。判断手段３５には、水位センサ２０が接続されており、水位センサ２０は、浴槽２６への人の入浴による浴槽湯水の水位変動を検出する水位検出手段として機能する。
【００３１】
泡スイッチ３４は、浴槽湯水に微細気泡を発生させて白濁化させるための操作部であり、例えばスイッチを一度押すと白濁化装置３３による微細気泡吐出動作をオンし、もう一度押すと白濁化装置３３による微細気泡吐出動作をオフするといったように、スイッチのオンオフに応じて微細気泡吐出動作のオンオフ操作が行えるようになっている。また、スイッチがオンされてから予め定められた設定時間が経過したときには自動的にスイッチがオフされるようになっている。
【００３２】
判断手段３５は、水位センサ２０により検出される水位変動に基づいて、浴槽２６に入浴した人が大人であるか子供であるかを判断し、その判断結果を白濁度可変制御手段３２に加える。判断手段３５には、人が浴槽２６に入ったとき（入浴）と出たとき（出浴）を水位変動によって検出するための水位変動の判定基準値が、大人用と子供用とに区別して与えられて、判断手段３５内のメモリ（図示せず）に格納されている。
【００３３】
入浴検知の判定基準値としては、大人の場合、例えば、基準時間（例えば２０秒間）に浴槽水位の上昇が大人用基準値（例えば３ｃｍ）以上という判定値で与えられ、また、出浴検知の判定基準値としては、例えば、基準時間（例えば２０秒間）に浴槽水位の下降が大人用基準値（例えば３ｃｍ）以上という判定値で与えられる。また、子供の場合は、例えば、基準時間（例えば２０秒間）に浴槽水位の上昇が子供用基準値（例えば１．５ｃｍ）以上で、かつ、大人用基準値未満という判定値で与えられ、また、出浴検知の判定基準値としては、例えば、基準時間（例えば２０秒間）に浴槽水位の下降が子供用基準値（例えば１．５ｃｍ）以上で、かつ、大人用基準値未満という判定値で与えられる。これらの基準時間や基準値も前記メモリに格納されている。
【００３４】
白濁度可変制御手段３２は、泡スイッチ３４によって微細気泡吐出動作がオンされ、かつ、判断手段３５によって浴槽２６に入浴した人が大人であると判断されたときには、白濁化装置３３により白濁させる浴槽湯水の白濁度を高くし、判断手段３５によって浴槽２６に入浴した人が子供であると判断されたときには白濁化装置３３により白濁させる浴槽湯水の白濁度を低くするように、白濁化装置３３により発生させる微細気泡濃度を制御する。なお、白濁度可変制御手段３２は、判断手段３５の判断結果を内蔵のメモリ（図示せず）に格納する機能を有しており、人が入浴した後に、泡スイッチ３４をオンした場合には、格納してある判断結果に基づいて、浴槽湯水の白濁度制御のための微細気泡濃度制御を行う。
【００３５】
なお、白濁化装置３３により微細気泡を発生させる時間は、例えば泡スイッチ３がオンされてからオフされる（自動的にオフされることも含む）までの間としてもよいし、判断手段３５の判断結果に基づき、人が出浴したことを検知した際に、自動的に停止してもよい。このように、自動で停止させると、微細気泡は時間と共に浴槽湯水に溶けたり、大気に開放されたりして、停止してからの時間と共に濁度が下がるので、再度入浴するときの安全度を上げることができる。特に、入浴してシャワーを浴びると浴室全体に靄がかかって見通し自体が悪くなっている中で、入浴によって足を滑らす等の危険が少なくなり、安全性が高まることは重要である。
【００３６】
また、白濁度可変制御手段３２は、前記第１実施例と同様に、浴槽湯水の白濁度の可変制御情報を追い焚き制御手段３６に加えることになっており、追い焚き制御手段３６も、第１実施例と同様に、白濁化装置３３により白濁させる浴槽湯水の白濁度に応じて浴槽湯水の追い焚き設定温度を変化させ、追い焚きを行う。
【００３７】
なお、本発明は、前記実施例に限定されるものでなく、適宜設定されるものである。例えば、前記第１実施例では、風呂リモコン装置１に、白濁度選択操作部として、高濃度泡スイッチ３０と低濃度泡スイッチ３１の２つのスイッチを有する構成としたが、互いに異なる白濁度の微細気泡を発生させるための３つ以上のスイッチを有する構成としてもよい。
【００３８】
また、前記第２実施例では、１つの泡スイッチ３４を設け、この泡スイッチ３４によって微細気泡吐出動作がオンされたときに、判断手段３５による判断結果に基づき、白濁度を可変する構成としたが、この構成に加え、第１実施例と同様に、白濁度を選択操作するための白濁度選択操作部を設けてもよい。つまり、例えば大人でも、白濁度を低くしたい人がいる場合には、その白濁度選択操作部を操作して白濁度を低くできるようにしてもよい。
【００３９】
さらに、前記第２実施例では、判断手段３５は、人の入浴と出浴の両方を検出するようにしたが、判断手段３５は、人の入浴のみを検出し、その人が大人か子供かを判断する構成としてもよい。
【００４０】
さらに、前記各実施例では、白濁化装置３３により浴槽湯水を白濁化させるときには、その白濁度に応じて浴槽湯水の追い焚き設定温度を変化させて浴槽湯水の追い焚きを行う構成としたが、第２実施例においては、このような白濁化と連動させての追い焚き制御機能は省略することもできる。
【００４１】
さらに、本発明の風呂装置のシステム構成は、図２に示した構成とするとは限らず、適宜設定されるものである。つまり、風呂装置は、自動湯張り機能と追い焚き機能を有していることが好ましいが、浴槽への給湯機能のみを有していてもよいし、浴槽に給水された水を追い焚きするタイプの追い焚き機能のみの風呂装置でもよい。また、暖房機能や太陽熱利用集熱機能などの他の機能を有していてもよい。
【００４２】
さらに、前記実施例では、ガスを燃焼させるバーナを備えた風呂装置としたが、本発明の風呂装置は、ガス以外の燃料を燃焼させて水を加熱して湯とする装置としてもよいし、電気によって水を加熱して湯とする装置としてもよく、その詳細は適宜設定されるものである。
【産業上の利用可能性】
【００４３】
本発明は、浴槽内の湯を白濁させて快適で安全な入浴タイムを実現できるので、家庭用やホテル等の宿泊施設等、様々な場所に設けられる風呂装置として利用できる。
【符号の説明】
【００４４】
１      風呂リモコン装置
３      制御装置
１５    追い焚き熱交換器
１６    追い焚きバーナ
１８    風呂温度センサ
２０    水位センサ
２５    追い焚き循環路
２６    浴槽
３０    高濃度泡スイッチ
３１    低濃度泡スイッチ
３２    白濁度可変制御手段
３３    白濁化装置
３４    泡スイッチ
３５    判断手段
３６    追い焚き制御手段
【図１】
0005566710.tif 000002
【図２】
0005566710.tif 000003
【図３】
0005566710.tif 000004
【図４】
0005566710.tif 000005